【手続補正書】
【提出日】令和2年12月7日(2020.12.7)
【手続補正１】
【補正対象書類名】特許請求の範囲
【補正対象項目名】全文
【補正方法】変更
【補正の内容】
【特許請求の範囲】
【請求項１】
接続面、および前記接続面の反対側の面を有する本体であって、前記接続面の反対側の面が、固定機構を含み、前記固定機構が、前記インプラントを骨に形成された固定孔へ締結するための可変幅を有するように構成された、本体を備える、整形外科用インプラント。
【請求項２】
前記インプラント本体が、直線エッジおよび曲線エッジを有するＤ型であり、前記固定機構の長さが、前記本体の前記直線エッジに実質的に平行であり、前記骨が、脛骨である、請求項１に記載の整形外科用インプラント。
【請求項３】
前記固定機構が、前記固定機構の前記長さに沿って先細りになっている幅を有するように構成された、請求項２に記載の整形外科用インプラント。
【請求項４】
前記接続面の反対側の面の一部分が、前記固定機構を形成するように構成された、請求項３に記載の整形外科用インプラント。
【請求項５】
前記固定機構が、前記固定孔によって受けられるための丸みを帯びた外側面、および前記丸みを帯びた面の反対側の平坦面を有し、前記平坦面が、前記本体の前記接続面の反対側の面に取り付けられた、請求項３に記載の整形外科用インプラント。
【請求項６】
前記固定孔が、一定の幅および前記固定機構の前記長さと同等の長さを有し、前記固定機構の少なくとも一部分の前記長さに沿った位置での前記固定機構の前記幅が、前記固定孔の前記長さに沿った対応する位置での前記固定孔の前記一定の幅よりも大きい、請求項３に記載の整形外科用インプラント。
【請求項７】
前記固定孔が、前記固定孔の長さに沿って変化する幅を有し、前記固定孔の前記長さが、前記固定機構の前記長さと同等であり、前記固定機構の少なくとも一部分の前記長さに沿った位置での前記固定機構の前記幅が、前記固定孔の前記長さに沿った対応する位置での前記固定孔の前記幅よりも大きい、請求項３に記載の整形外科用インプラント。
【請求項８】
前記固定孔が、前記脛骨の切除されたヘッドの切除面に形成された、請求項２に記載の整形外科用インプラント。
【請求項９】
前記本体が、前記インプラントを前記脛骨に締結するための１つまたは複数の整形外科用ねじ釘を受け、かつ／または１つまたは複数の縫合糸アンカーを受けるように構成された１つまたは複数の開口を備え、前記１つまたは複数の縫合糸アンカーの各々が、前記脛骨に形成された縫合糸トンネルの第１の端部内に延在する部分を有し、前記部分が、前記第１の端部の反対側の前記縫合糸トンネルの第２の端部で前記脛骨に固定されたボタンに接続される縫合糸によって、前記縫合糸トンネルを介して、締結されるように構成された、請求項２に記載の整形外科用インプラント。
【請求項１０】
取り外し可能な接続挿入体を受けるための前記接続面に形成された凹部をさらに備える、請求項１に記載の整形外科用インプラント。
【請求項１１】
前記固定機構が、それらの間に形成された先細りの拡張孔を画定する２つの先細りの拡張可能な半身を有する拡張可能な固定機構を備え、前記先細りの拡張孔が、前記拡張孔の長さに沿って先細りになっている幅を有し、前記拡張孔が、拡張器を受けるように構成されたねじが切られた端部を有し、前記拡張器が、先細り部分および調整用部分を備え、前記先細り部分が、前記調整用部分の第１の端部に連結されたねじが切られた端部を有し、前記調整用部分が、前記拡張器を前記拡張孔内に前進させるために、前記拡張器を回転させるための工具を受けるように構成されたソケットを備える第２の端部を有し、前記先細り部分の長さに沿った位置での前記先細り部分の幅が、前記先細りの拡張孔の前記長さに沿った対応する位置での前記先細りの拡張孔の幅よりも大きい、請求項３に記載の整形外科用挿入体。
【請求項１２】
前記固定機構が、拡張可能部分を備え、前記拡張可能部分が、第１の幅から第２の幅へ拡張されるように構成され、前記第１の幅が、前記固定孔の幅よりも小さい、またはそれと同等であり、前記第２の幅が、前記固定孔の幅よりも大きい、請求項２に記載の整形外科用挿入体。
【請求項１３】
前記固定機構が、
拡張器部分と、
前記１つまたは複数の拡張可能な部品の内側面によって画定される拡張孔を備える円筒を形成するように共に連結された１つまたは複数の拡張可能な部品を備える拡張可能部分であって、前記拡張孔が、前記円筒の縦軸に沿って形成され、前記内側面の部分が、１つまたは複数のカム面を備える、拡張可能部分とを、備え、
前記拡張器部分が、
前記拡張孔内に挿入されるように構成された挿入本体であって、前記挿入本体は、前記拡張器部分が、前記拡張孔内に挿入され、前記縦軸の周りで回転させられるとき、前記拡張可能部分の幅を拡張するための前記１つまたは複数のカム面に係合するように構成された１つまたは複数のカムを有する、挿入本体と、
前記挿入本体に連結されたロッキング部分および
前記ロッキング部分に連結された調整用部分を備える端部区分であって、前記ロッキング部分は、前記拡張器部分が、前記拡張孔内に挿入され前記縦軸の周りで回転させられたあと、前記拡張器部分が、前記縦軸の周りで回転しないようにロックするために、前記本体の開口を通して、回転ロックを受けるように構成され、前記調整用部分が、前記拡張器部分を前記縦軸の周りで回転させるための工具を受けるように構成される調整用部分を備える端部区分とを、備える、請求項２に記載の整形外科用インプラント。
【請求項１４】
前記ロッキング部分は、前記拡張器部分が、前記拡張孔内に挿入され、前記縦軸の周りで回されるとき、前記本体の前記開口に位置合わせするように構成されたロッキング開口を備え、前記回転ロックが、ピンまたは骨ねじ釘である、請求項１３に記載の整形外科用インプラント。
【請求項１５】
前記固定機構が、拡張器ガイド孔を有する拡張器ガイドをさらに備え、前記拡張器ガイドが、前記挿入本体を前記拡張孔内にガイドし、前記拡張ガイド孔によって前記調整用部分を受けるために構成される、請求項１３に記載の整形外科用インプラント。
【請求項１６】
前記ロッキング部分が、前記縦軸に垂直な第１の寸法と、前記縦軸および前記第１の寸法に垂直な第２の寸法とを備える本体を備え、前記回転ロックが、分割幅を有する分割端部を備えるピンであり、前記第２の寸法が、前記分割幅と同等またはそれよりも小さく、前記第１の寸法が、前記分割幅よりも大きく、前記第２の寸法は、
前記拡張器部分が、前記拡張孔内に挿入され、前記縦軸の周りで回されるとき、前記本体の開口に位置合わせされ、
前記ピンの前記分割端部を受けるように構成される、請求項１５に記載の整形外科用インプラント。
【請求項１７】
前記ロッキング部分が、前記縦軸に垂直な第１の寸法と、前記縦軸および前記第１の寸法に垂直な第２の寸法とを備える本体を備え、前記回転ロックが、分割幅を有する分割端部を備えるピンであり、前記第２の寸法が、前記分割幅よりも大きく、前記第１の寸法が、前記分割幅よりも大きく、前記第１の寸法が、前記第２の寸法よりも大きく、前記第２の寸法は、
前記拡張器部分が、前記拡張孔内に挿入され、前記縦軸の周りで回されるとき、前記本体の開口に位置合わせされ、
前記ピンの前記分割端部を受けるように構成される、請求項１５に記載の整形外科用インプラント。
【手続補正２】
【補正対象書類名】明細書
【補正対象項目名】００３４
【補正方法】変更
【補正の内容】
【００３４】
[0059]本発明を、少なくとも１つの実施形態に関して説明したが、本発明は、本開示の技術概念および範囲内でさらに修正され得る。本出願は、したがって、本発明の全体の原理を使用するその任意の変形形態、用途、改作物を包含することが意図されている。さらに、本出願は、本発明が関係する当技術分野における周知のまたは習慣的な活動の範囲にある本開示からの発展を包含することが意図されている。
以上説明したように、本発明は以下の形態を有する。
形態１
接続面、および前記接続面の反対側の面を有する本体であって、前記接続面の反対側の面が、固定機構を含み、前記固定機構が、前記インプラントを骨に形成された固定孔へ締結するための可変幅を有するように構成された、本体を備える、整形外科用インプラント。
形態２
前記インプラント本体が、直線エッジおよび曲線エッジを有するＤ型であり、前記固定機構の長さが、前記本体の前記直線エッジに実質的に平行であり、前記骨が、脛骨である、請求項１に記載の整形外科用インプラント。
形態３
前記固定機構が、前記固定機構の前記長さに沿って先細りになっている幅を有するように構成された、請求項２に記載の整形外科用インプラント。
形態４
前記接続面の反対側の面の一部分が、前記固定機構を形成するように構成された、形態３に記載の整形外科用インプラント。
形態５
前記固定機構が、前記固定孔によって受けられるための丸みを帯びた外側面、および前記丸みを帯びた面の反対側の平坦面を有し、前記平坦面が、前記本体の前記接続面の反対側の面に取り付けられた、形態３に記載の整形外科用インプラント。
形態６
前記固定孔が、一定の幅および前記固定機構の前記長さと同等の長さを有し、前記固定機構の少なくとも一部分の前記長さに沿った位置での前記固定機構の前記幅が、前記固定孔の前記長さに沿った対応する位置での前記固定孔の前記一定の幅よりも大きい、形態３に記載の整形外科用インプラント。
形態７
前記固定孔が、前記固定孔の長さに沿って変化する幅を有し、前記固定孔の前記長さが、前記固定機構の前記長さと同等であり、前記固定機構の少なくとも一部分の前記長さに沿った位置での前記固定機構の前記幅が、前記固定孔の前記長さに沿った対応する位置での前記固定孔の前記幅よりも大きい、形態３に記載の整形外科用インプラント。
形態８
前記固定孔が、前記脛骨の切除されたヘッドの切除面に形成された、形態２に記載の整形外科用インプラント。
形態９
前記本体が、前記インプラントを前記脛骨に締結するための１つまたは複数の整形外科用ねじ釘を受け、かつ／または１つまたは複数の縫合糸アンカーを受けるように構成された１つまたは複数の開口を備え、前記１つまたは複数の縫合糸アンカーの各々が、前記脛骨に形成された縫合糸トンネルの第１の端部内に延在する部分を有し、前記部分が、前記第１の端部の反対側の前記縫合糸トンネルの第２の端部で前記脛骨に固定されたボタンに接続される縫合糸によって、前記縫合糸トンネルを介して、締結されるように構成された、形態２に記載の整形外科用インプラント。
形態１０
取り外し可能な接続挿入体を受けるための前記接続面に形成された凹部をさらに備える、形態１に記載の整形外科用インプラント。
形態１１
前記固定機構が、それらの間に形成された先細りの拡張孔を画定する２つの先細りの拡張可能な半身を有する拡張可能な固定機構を備え、前記先細りの拡張孔が、前記拡張孔の長さに沿って先細りになっている幅を有し、前記拡張孔が、拡張器を受けるように構成されたねじが切られた端部を有し、前記拡張器が、先細り部分および調整用部分を備え、前記先細り部分が、前記調整用部分の第１の端部に連結されたねじが切られた端部を有し、前記調整用部分が、前記拡張器を前記拡張孔内に前進させるために、前記拡張器を回転させるための工具を受けるように構成されたソケットを備える第２の端部を有し、前記先細り部分の長さに沿った位置での前記先細り部分の幅が、前記先細りの拡張孔の前記長さに沿った対応する位置での前記先細りの拡張孔の幅よりも大きい、形態３に記載の整形外科用挿入体。
形態１２
前記固定機構が、拡張可能部分を備え、前記拡張可能部分が、第１の幅から第２の幅へ拡張されるように構成され、前記第１の幅が、前記固定孔の幅よりも小さい、またはそれと同等であり、前記第２の幅が、前記固定孔の幅よりも大きい、形態２に記載の整形外科用挿入体。
形態１３
前記固定機構が、
拡張器部分と、
前記１つまたは複数の拡張可能な部品の内側面によって画定される拡張孔を備える円筒を形成するように共に連結された１つまたは複数の拡張可能な部品を備える拡張可能部分であって、前記拡張孔が、前記円筒の縦軸に沿って形成され、前記内側面の部分が、１つまたは複数のカム面を備える、拡張可能部分とを、備え、
前記拡張器部分が、
前記拡張孔内に挿入されるように構成された挿入本体であって、前記挿入本体は、前記拡張器部分が、前記拡張孔内に挿入され、前記縦軸の周りで回転させられるとき、前記拡張可能部分の幅を拡張するための前記１つまたは複数のカム面に係合するように構成された１つまたは複数のカムを有する、挿入本体と、
前記挿入本体に連結されたロッキング部分および
前記ロッキング部分に連結された調整用部分を備える端部区分であって、前記ロッキング部分は、前記拡張器部分が、前記拡張孔内に挿入され前記縦軸の周りで回転させられたあと、前記拡張器部分が、前記縦軸の周りで回転しないようにロックするために、前記本体の開口を通して、回転ロックを受けるように構成され、前記調整用部分が、前記拡張器部分を前記縦軸の周りで回転させるための工具を受けるように構成される調整用部分を備える端部区分とを、備える、形態２に記載の整形外科用インプラント。
形態１４
前記ロッキング部分は、前記拡張器部分が、前記拡張孔内に挿入され、前記縦軸の周りで回されるとき、前記本体の前記開口に位置合わせするように構成されたロッキング開口を備え、前記回転ロックが、ピンまたは骨ねじ釘である、形態１３に記載の整形外科用インプラント。
形態１５
前記固定機構が、拡張器ガイド孔を有する拡張器ガイドをさらに備え、前記拡張器ガイドが、前記挿入本体を前記拡張孔内にガイドし、前記拡張ガイド孔によって前記調整用部分を受けるために構成される、形態１３に記載の整形外科用インプラント。
形態１６
前記ロッキング部分が、前記縦軸に垂直な第１の寸法と、前記縦軸および前記第１の寸法に垂直な第２の寸法とを備える本体を備え、前記回転ロックが、分割幅を有する分割端部を備えるピンであり、前記第２の寸法が、前記分割幅と同等またはそれよりも小さく、前記第１の寸法が、前記分割幅よりも大きく、前記第２の寸法は、
前記拡張器部分が、前記拡張孔内に挿入され、前記縦軸の周りで回されるとき、前記本体の開口に位置合わせされ、
前記ピンの前記分割端部を受けるように構成される、形態１５に記載の整形外科用インプラント。
形態１７
前記ロッキング部分が、前記縦軸に垂直な第１の寸法と、前記縦軸および前記第１の寸法に垂直な第２の寸法とを備える本体を備え、前記回転ロックが、分割幅を有する分割端部を備えるピンであり、前記第２の寸法が、前記分割幅よりも大きく、前記第１の寸法が、前記分割幅よりも大きく、前記第１の寸法が、前記第２の寸法よりも大きく、前記第２の寸法は、
前記拡張器部分が、前記拡張孔内に挿入され、前記縦軸の周りで回されるとき、前記本体の開口に位置合わせされ、
前記ピンの前記分割端部を受けるように構成される、形態１５に記載の整形外科用インプラント。
形態１８
患者の骨に切除面を形成するステップと、
前記切除面に固定孔を形成するステップと、
前記整形外科用インプラントをインプラントするステップであって、前記整形外科用インプラントが、接続面、および前記接続面の反対側の面を有する本体を備え、前記接続面の反対側の面が、固定機構を含み、前記固定機構が、可変幅を有するように構成される、ステップと、
前記インプラントの前記固定機構を前記固定孔内に圧迫するステップとを含む、整形外科用インプラントをインプラントするための方法。
形態１９
前記固定機構が、前記固定機構の長さに沿って先細りになっている幅を有するように構成され、前記圧迫するステップが、前記固定機構を前記固定孔内にスライドさせるステップをさらに含む、形態１８に記載の方法。
形態２０
前記固定機構が、
１つまたは複数のカムを有する挿入本体と、前記挿入本体に連結され前記本体の開口を通して回転ロックを受けるように構成されたロッキング部分、および前記ロッキング部分に連結され前記拡張器部分を回転させるための工具を受けるように構成された調整用部分を備える端部区分とを、備える拡張器部分、ならびに
１つまたは複数の拡張可能な部品の内側面によって画定された拡張孔を備える円筒を形成するように共に連結された前記１つまたは複数の拡張可能な部品を備える拡張可能部分であって、前記拡張孔が、前記円筒の縦軸に沿って形成され、前記内側面の部分が、１つまたは複数のカム面を備える、拡張可能部分を備え、
前記方法が、
前記挿入本体を前記拡張孔内に挿入するステップと、
前記工具を前記調整用部分内に挿入するステップと、
前記工具によって、前記１つまたは複数のカムが、前記１つまたは複数のカム面に係合するまで、前記拡張器部分を前記縦軸の周りで回転させるステップであって、したがって前記拡張可能部分の幅を、前記固定孔の幅よりも大きくするように拡張するステップと、
前記拡張器部分が、前記縦軸の周りで回転しないようにロックするために、前記本体の前記開口を通して、前記ロッキング部分によって前記回転ロックを受けるステップとを、さらに備える、形態１８に記載の方法。